(57)【要約】【課題】  幼児を使用者に容易に密着させることができるベビースリングを提供することを解決課題とする。加えて、帯体がリングから抜けることを防止し、幼児を安定して抱持することができるベビースリングを提供することを解決課題とする。【解決手段】  使用者の身体に装着する帯体と、該帯体の長さ方向一端部に設けられた二つのリングからなるベビースリングであって、前記帯体において、使用者の肩に当てるための肩部と、幼児を抱持するための幼児抱持部と、前記リングに挿通するための長さ調整部が長さ方向に連続して形成されており、該幼児抱持部の幅方向の一端部に沿って設けられた挿通孔に、該幼児抱持部を絞るための調整紐が挿通されていることを特徴とするベビースリングである。【選択図】  図１
2008036321.tif 000002
【特許請求の範囲】
【請求項１】
使用者の身体に装着する帯体と、該帯体の長さ方向一端部に設けられた二つのリングからなるベビースリングであって、前記帯体において、使用者の肩に当てるための肩部と、幼児を抱持するための幼児抱持部と、前記リングに挿通するための長さ調整部が長さ方向に連続して形成されており、該幼児抱持部の幅方向の一端部に沿って設けられた挿通孔に、該幼児抱持部を絞るための調整紐が挿通されていることを特徴とするベビースリング。
【請求項２】
前記幼児抱持部の長さ方向略中央部に、前記調整紐を前記挿通孔から取り出すための通し穴が二つ形成され、該調整紐が、該幼児抱持部の長さ方向一端部側から延出され、該一端部側の通し穴から取り出される第一調整紐と、該幼児抱持部の長さ方向他端部側から延出され、該他端部側の通し穴から取り出される第二調整紐とからなることを特徴とする請求項１記載のベビースリング。
【請求項３】
該長さ調整部の幅が、前記一端部から前記他端部への方向に向けて広がっていることを特徴とする請求項１又は２記載のベビースリング。
【請求項４】
前記長さ調整部に収納部が設けられていることを特徴とする請求項１乃至３いずれか記載のベビースリング。
【請求項５】
前記収納部の収納口が開閉可能であることを特徴とする請求項４記載のベビースリング。
【請求項６】
前記幼児抱持部の幅方向端部の少なくとも一方にクッション材が介入していることを特徴とする請求項１乃至５いずれか記載のベビースリング。
【発明の詳細な説明】
【技術分野】
【０００１】
本発明は、幼児を抱持（抱っこ）する際に、抱持を補助するベビースリングに関する。
【背景技術】
【０００２】
ベビースリングとは、幼児を抱持する際に使用される幼児抱持補助具の一種であり、布等からなる帯体を環状にし、幼児の身体を包み込むようにして幼児を抱持する幼児抱持補助具である（下記特許文献１等参照）。
ベビースリングは、背中全体で幼児の体重を支える構造であるため、使用者の肩や腰への負担が少ない。また、帯体で幼児全体を包み込むようにするため、幼児の体重の略すべてを幼児の股部で支えるベビーキャリーに比して、幼児への負担も少ない。さらに新生児から使用可能であり、且つ抱持したまま授乳を行うこともできる。
ベビースリングは、上記したような多くの利点を有するため、幼児を持つ保護者等に広く使用されている。
【０００３】
次いで、ベビースリングの一般的な使用方法としては、まず、帯体を帯体の長さ方向一端部に設けられたリングに挿通することで環状にし、襷掛けをする。そして、使用者の前方の部分を袋状にして幼児を抱持する。その後、幼児と使用者が密着するようにリングに挿通された帯体を引いて調整する。
【０００４】
しかしながら、ベビースリングを使い慣れていない場合等、幼児を使用者に密着させるように帯体を調整することが困難であり、幼児と使用者との間に余分な空間ができてしまうことが往々にしてある。また、使用者の身体にベビースリングのサイズが適合していなかったり、幼児が成長したりした場合等も、同様の事象が生じやすい。
このような場合、幼児の安定性が確保できないので、幼児の身体が反り返ったり、ベビースリングから滑り落ちたりする危険性が生じるといった問題がある。
【０００５】
加えて、ベビースリングは帯体をリングに通しているだけであるため、帯体がリングから抜けてしまうこともある。帯体がリングから完全に抜けることで、環が解けてしまうと、幼児がベビースリングから滑り落ちてしまう。また、帯体がリングから完全に抜けなくても、当初、固定した位置からずれてしまうことにより、幼児の体を安定して抱持することができなくなる。
特に幼児は、予期せぬ動きをすることも多いため、これらの問題が生じやすい。
【０００６】
【特許文献１】特開２００６−１１６２６１号公報
【発明の開示】
【発明が解決しようとする課題】
【０００７】
本発明は、上記問題に鑑みてなされたものであり、幼児を使用者に容易に密着させることができるベビースリングを提供することを解決課題とする。
加えて、帯体がリングから抜けることを防止し、幼児を安定して抱持することができるベビースリングを提供することを解決課題とする。
【課題を解決するための手段】
【０００８】
請求項１に係る発明は、使用者の身体に装着する帯体と、該帯体の長さ方向一端部に設けられた二つのリングからなるベビースリングであって、前記帯体において、使用者の肩に当てるための肩部と、幼児を抱持するための幼児抱持部と、前記リングに挿通するための長さ調整部が長さ方向に連続して形成されており、該幼児抱持部の幅方向の一端部に沿って設けられた挿通孔に、該幼児抱持部を絞るための調整紐が挿通されていることを特徴とするベビースリングに関する。
【０００９】
請求項２に係る発明は、前記幼児抱持部の長さ方向略中央部に、前記調整紐を前記挿通孔から取り出すための通し穴が二つ形成され、該調整紐が、該幼児抱持部の長さ方向一端部側から延出され、該一端部側の通し穴から取り出される第一調整紐と、該幼児抱持部の長さ方向他端部側から延出され、該他端部側の通し穴から取り出される第二調整紐とからなることを特徴とする請求項１記載のベビースリングに関する。
【００１０】
請求項３に係る発明は、該長さ調整部の幅が、前記一端部から前記他端部への方向に向けて広がっていることを特徴とする請求項１又は２記載のベビースリングに関する。
【００１１】
請求項４に係る発明は、前記長さ調整部に収納部が設けられていることを特徴とする請求項１乃至３いずれか記載のベビースリングに関する。
【００１２】
請求項５に係る発明は、前記収納部の収納口が開閉可能であることを特徴とする請求項４記載のベビースリングに関する。
【００１３】
請求項６に係る発明は、前記幼児抱持部の幅方向端部の少なくとも一方にクッション材が介入していることを特徴とする請求項１乃至５いずれか記載のベビースリングに関する。
【発明の効果】
【００１４】
請求項１に係る発明によれば、幼児抱持部の幅方向の一端部に沿って設けられた挿通孔に、幼児抱持部を絞るための調整紐が挿通されていることにより、幼児を使用者に容易に密着させることができる。
【００１５】
請求項２に係る発明によれば、幼児抱持部の長さ方向略中央部に調整紐を挿通孔から取り出すための通し穴が二つ形成され、調整紐が、幼児抱持部の長さ方向一端部側から延出され、一端部側の通し穴から取り出される第一調整紐と、幼児抱持部の長さ方向他端部側から延出され、他端部側の通し穴から取り出される第二調整紐とからなることにより、幼児抱持部における幼児抱持部の略中央部から一端部側と、略中央部から他端部側を別々に絞ることができる。そのため、幼児と使用者の密着性をより高めることができる。
【００１６】
請求項３に係る発明によれば、長さ調整部の幅が、一端部から他端部への方向に向けて広がっていることにより、長さ調整部がリングから抜けて環が解けたり、当初の固定位置からずれて幼児抱持部がたるんだりすることを防ぐことができる。そのため、幼児を安定して抱持することができる。
【００１７】
請求項４に係る発明によれば、長さ調整部に収納部が設けられていることにより、使い勝手の良いベビースリングを提供することができる。
【００１８】
請求項５に係る発明によれば、収納部の収納口が開閉可能であることにより、収納部に収納された収納物が紛失することを防ぐことができる。また、幼児が収納物を取り出して悪戯したり、口に入れたりすることも防ぐことができる。
【００１９】
請求項６に係る発明によれば、幼児抱持部の幅方向端部の少なくとも一方にクッション材が介入していることにより、幼児保持部からの幼児に対する圧迫を低減することができる。
【発明を実施するための最良の形態】
【００２０】
以下、本発明に係るベビースリングの実施例について説明する。なお、本発明は下記実施例によって何ら限定されるものではない。
【００２１】
図１は、本発明の第一実施例に係るベビースリング１００の展開状態を示した図である。ベビースリング１００は、帯体１０と、帯体１０の長さ方向（図中上下方向）一端部に設けられた二つのリング４からなる。
【００２２】
帯体１０は、リング４が設けられた一端部から順に、肩部１、幼児抱持部２、長さ調整部３が連続して形成されている。また、幼児抱持部２には調整紐５が設けられている。
なお、帯体１０は図１では帯状であるが、ネット状のものも挙げられる。
【００２３】
肩部１は、使用者の肩に当てる部分である。また、肩部１の端部は環状になっており、二つのリング４が挿通されている。
また、肩部１には、クッション材を内部に介入させてもよい。クッション材が介入させることにより、使用者の肩への負担を低減させることができる。クッション材としては、綿等が挙げられる。
【００２４】
幼児抱持部２は、幼児を包み込むように抱持する部分であり、中央部が幅広な楕円形状となっている。中央部が幅広な楕円形状となっていることにより、幅広の部分で幼児の身体全体を包み込むことができる。それにより、幼児を確実に抱持することができ、安全性が向上する。
【００２５】
また、幼児抱持部２の幅方向一端部には、調整紐５が設けられている。より詳しくは、幼児抱持部２の幅方向一端部には筒状の挿通孔２１が設けられており、挿通孔２１に調整紐５が挿通されている。そして、挿通孔２１と連通し、且つ長手方向略中央に設けられた通し穴２２から調整紐５が引き出されている。なお、調整紐５において、通し穴２２から引き出されている側と反対側の端部は、縫合等されて固定されている。
挿通孔２１は、幼児抱持部２の一端を折り返して縫合することで設けることもできるし、もう一枚布をあてて両脇を縫合することで設けることもできる。
調整紐５が設けられていることにより、幼児の体型や体勢に応じて、幼児抱持部２の一端を絞ることができる。それにより、幼児をより安定した状態で抱持することができる。
さらに、本実施例では、調整紐５が、リング４が設けられている一端部側の第一調整紐５１と、他端部側の第二調整紐５２の二本からなる。そのため、第一調整紐５１で幼児抱持部２の長さ方向における略中央部から一端部側の範囲Ａを絞ることができ、第二調整紐５２で幼児抱持部２の長さ方向における略中央部から他端部側の範囲Ｂを絞ることができる。つまり、幼児抱持部２の範囲Ａと範囲Ｂを別々に絞ることができる。それにより、状況に応じてより適切に幼児を使用者に密着させることができる。
【００２６】
また、幼児抱持部２の調整紐５が設けられていない側の幅方向端部２３には、クッション材が介入されている。これにより、布が幼児の身体を圧迫することを防ぐことができる。
なお、調整紐５が設けられている方の幅方向端部にもクッション材を介在してもよい。この場合、クッション材を挿通孔２１より内側に設けることもできるし、外側に設けることもできる。
【００２７】
長さ調整部３は、幼児抱持部２のたるみ等を調整するためのものであり、それにより、幼児と使用者を密着させることができる。具体的には、リング４に長さ調整部３を挿通させ、長さ調整部３の引出し量（どの程度リング４に挿通させたか）を調整することによって、幼児抱持部２のたるみ等を調整する。
また、長さ調整部３は、幼児抱持部２との接合部から対向する端部に向けて（図面下方向に向けて）幅が広くなる末広がり形状になっている。ベビースリング１００は、リング４に長さ調整部４を挿通して使用するが、長さ調整部３が末広がり形状となっているため、リング４との間の摩擦抵抗が高くなる。そのため、リング４から長さ調整部３が抜けて、幼児抱持部２がたるんだり、環が解けたりすることを防ぐことができる。当該効果により、幼児が後ろに反り返ったり、滑り落ちたりする危険性を低減することができる。
【００２８】
このとき、長さ調整部３において、長さ方向他端部側の幅３１が、幼児抱持部２との接合部分の幅３２の２倍以上であることが好ましい。これにより、長さ調整部３とリング４との摩擦抵抗が十分に大きくなり、長さ調整部３がリング４から抜けることを確実に防止することができる。
【００２９】
また、長さ調整部３は、使用時、使用者の前方に存するが、長さ調整部３が末広がり形状となっていることのより、デザイン性も向上する。
【００３０】
さらに、長さ調整部３の引出し量を調整することで、幼児抱持部２のたるみを調整することができるので、身体の小さい新生児から好適に利用することができる。また、縦抱き、横抱き等、種々の抱き方にも対応することができる。
加えて、幼児抱持部２のたるみを少し大きくすることで、抱きながら授乳することもできる。このとき、幼児抱持部２や長さ調整部３により、胸部付近を隠すこともできるので、授乳にも最適である。
【００３１】
次いで、ベビースリング１００の使用方法について説明する。
図２乃至図４は、実際に幼児を抱持した時の図であり、図２は幼児を横抱きにした時の図、図３は幼児を縦抱きにした時の図、図４は使用者の背中側を示した図である。
また、図５及び図６は、長さ調整部３をリング４に挿通する方法を示す説明図である。なお、説明の便宜上、図５及び図６においては、二つあるリング４を第一リング４１、第二リング４２とする。  
【００３２】
ベビースリング１００の使用方法としては、まず、リング４が使用者の前方にくるように、肩部１を肩に当てる。そして、肩から背中側にまわして、反対側の脇下を通し、リング４に長さ調整部３を挿通し、襷掛けをする。
【００３３】
リング４に対する挿通の方法としては、まず、図５に示す如く、長さ調整部３を第一リング４１、第二リング４２の順に、両方のリングに挿通させる。
そして、図６に示す如く、第一リングにのみ長さ調整部３を挿通させる。このときの挿通は、図５で示した最初の挿通とは逆の方向から行う。これにより、長さ調整部３が第一リング４１と第二リング４２に挟まれた状態となるので、長さ調整部がリング４から抜けることを防止することができる。
【００３４】
また、第一実施例では長さ調整部３が末広がり形状となっている。そのため、リング４を挿通させた長さ調整部３がさらに抜けにくい状態となる。
【００３５】
次に、使用者の前方にある幼児抱持部２を袋状に広げた時に、幼児がちょうど包み込まれるように長さ調整部３の引出し量を調整する。
その後、幼児抱持部２の袋状にした部分によって、幼児を包み込むように、幼児を抱持し、幼児が使用者と密着するように長さ調整部３を引いて微調整を行う。
【００３６】
また、調整紐５を引いて幼児抱持部２の一端を絞り、調整紐５を結んで固定することで、より安定して幼児を抱持することができる。より詳しく説明すると、図２に示す如く幼児を横抱きした場合、調整紐５により、幼児の頭部を安定させて支持することができる。そのため、幼児が寝たりした場合でも、幼児の首が後ろに反ることを防ぐことができる。当該効果は、特に未だ首が据わっていない乳幼児に対して有効である。
また、図３に示す如く幼児を縦抱きにした場合、幼児の背中を安定させて支持することができる。そのため、幼児が後ろに反り返るのを防ぐことができる。また、幼児と使用者の密着性がさらに高まるので、幼児へより大きな安心感を与えることができる。
また、第一実施例では、上述したように調整紐５が第一調整紐５１と第二調整紐５２の二本からなるため、状況に応じて、より適切に幼児を使用者に密着させることができる。
【００３７】
また、調整紐５の長さを調整した後の調整紐５の引出し量の固定を、例えば図７で示すような紐留め具７により行ってもよい。
図７は、通し穴２２から引き出された調整紐５を示した図である。
紐留め具７は、調整紐５が再び幼児抱持部２側に戻らないよう、幼児抱持部２（図示せず）の通し穴２２方向の力に抗して係止するものである。紐留め具７を用いることにより、調整紐５の引出し量の調整・固定を容易に行うことができる。特に、一度調整紐５の引出し量を固定した後に変更することが、調整紐５を結んで固定した場合に比して、容易となる。
【００３８】
紐留め具７は、貫通孔７１ａ付きの有底筒状本体７１と、本体７１内に一部を出没可能に組み込まれた貫通孔付きのロック部７２とからなる。また、ロック部７２はバネ等により突出方向へ付勢されており、バネ等の付勢力により、調整紐５の引出し量を固定させる。なお、調整紐５により、幼児抱持部２の絞り度合いを調整する場合は、ロック部７２をバネ等の付勢力に抗して本体７１内に押し込み、本体７１とロック部７２の両貫通孔を合わせた状態で行う。また、紐留め具７が外れないように、調整紐５の先端に結び目５１を設けて、結び目５１にストッパーの役割を担わせている。
【００３９】
なお、紐締め具７を使用する場合、調整紐５を図８に示すように配置することもできる。具体的には、通し穴２２を、幼児抱持部の幅方向一端部に設けられた挿通孔２１の両端の二箇所に設け、挿通孔２１に調整紐５を挿通させる。そして、調整紐５は両通し穴２２から引出され、引出された調整紐５に紐留め具７を設ける。この場合、引出された調整紐５を両方から引くことにより、幼児抱持部２を絞ることができる。
【００４０】
次いで、本発明の第二実施例に係るベビースリング２００について説明する。
図９は、本発明の第二実施例に係るベビースリング２００の展開状態を示した図であり、図１０はベビースリング２００により実際に幼児を抱持した時の説明図である。
なお、ベビースリング２００において、第一実施例に係るベビースリング１００と同様の構成には同様の参照番号を付しており、説明は省略する。
【００４１】
第二実施例に係るベビースリング２００は、長さ調整部３にポケット状の収納部６を有している。
図１０に示す如く、長さ調整部３は、使用時には使用者の前方に存する状態となる。そのため、長さ調整部３に収納部６を設けることにより、使用者にとって使い勝手のよい位置に収納部６が存することとなる。
【００４２】
また、幼児を抱持している場合、両手がふさがっていることが多いため、他に鞄等を持つことは使用者にとって大きな負担となる。そのため、ベビースリングが収納部６を有することの意義は大きい。
収納部６には、ベビー用品や、幼児用のおもちゃ等を入れることができる。
【００４３】
また、収納部６の取り出し部６１を係止具により開閉可能としてもよい。係止具としては、ボタンとボタン孔、ホック、チャック 或いは面ファスナー等を使用することができる。これにより、収納部６内の収納物を紛失したりすることを防ぐことができる。さらに、幼児が悪戯で収容物を取り出したり、口に入れたりすることも防ぐことができる。
また、係止具がホックや面ファスナーである場合、比較的容易に収納部の開閉を行うことができ、幼児を抱持していることで両手が自由に使えない状態でも使い勝手がよく好ましい。
【産業上の利用可能性】
【００４４】
本発明は、幼児を抱持する際に好適に利用可能である。
【図面の簡単な説明】
【００４５】
【図１】第一実施例に係るベビースリングの展開状態を示した図である。
【図２】第一実施例に係るベビースリングを使用して、幼児を横抱きにした時の図である。
【図３】第一実施例に係るベビースリングを使用して、幼児を縦抱きにした時の図である。
【図４】第一実施例に係るベビースリングを使用して、幼児を抱持した使用者の背中側を示した図である。
【図５】長さ調整部をリングに挿通する方法を示す説明図であって、長さ調整部をリングに一度挿通させた状態を示す説明図である。
【図６】長さ調整部をリングに挿通する方法を示す説明図であって、図６の続きを示す説明図である。
【図７】紐留め具を示す説明図である。
【図８】紐留め具を使用して、調整紐を配置した他の形態を示す図である。
【図９】第二実施例に係るベビースリングの展開状態を示した図である。
【図１０】第二実施例に係るベビースリングを使用して、幼児を横抱きにした時の図である。
【符号の説明】
【００４６】
１                肩部
２                幼児抱持部
３                長さ調整部
４                リング
５                調整紐
５１              第一調整紐
５２              第二調整紐
６                収納部
６１              収納口
１０              帯体
１００，２００    ベビースリング
【図１】
2008036321.tif 000003
【図２】
2008036321.tif 000004
【図３】
2008036321.tif 000005
【図４】
2008036321.tif 000006
【図５】
2008036321.tif 000007
【図６】
2008036321.tif 000008
【図７】
2008036321.tif 000009
【図８】
2008036321.tif 000010
【図９】
2008036321.tif 000011
【図１０】
2008036321.tif 000012